(57)【要約】【課題】音響特性を低下させることなく、薄型化が可能な密閉型スピーカユニットを提供する。【解決手段】筐体１０の内部空間における振動板２０の背面２０ｂが臨む空間Ｓ１を気密空間に形成し、この気密空間に空気よりも比重の小さい気体Ｌを封入する。振動板２０が振動する際の抵抗が小さくなり、振動板２０を振動させるのに要するエネルギを少なくできるから、音響信号の入力に対する応答性が向上し、消費電力も低減化できる。振動板２０の背面２０ｂから出力される音が、振動板２０に対し及ぼす影響が小さくなり、音響特性の悪化を防止できるから、スピーカユニットＵ１を密閉型にして、厚みの薄い製品を提供できる。気密空間Ｓ１は水、湿気、埃などが浸入しにくい構造であるから、スピーカユニットＵ１の内部が保護され、長寿命化を図れる。【選択図】      図１
2014131139.tif 000002
【特許請求の範囲】
【請求項１】
内部に空間を有する筐体と、
該筐体の内部に取付けられて該筐体の内部空間を音の出力面側とその反対面側とに区画する、音出力用の振動板とを有し、
前記筐体の内部空間における前記振動板の反対面が臨む空間が気密空間に形成され、
前記気密空間に、空気よりも比重の小さい気体が封入されていることを特徴とする密閉型スピーカユニット。
【請求項２】
前面に開口を有する筐体と、
該開口を閉塞するように該筐体に取り付けられる、音出力用の振動板とを有し、
前記振動板が臨む前記筐体の内部空間が気密空間に形成され、
前記気密空間に、空気よりも比重の小さい気体が封入されていることを特徴とする密閉型スピーカユニット。
【請求項３】
空気よりも比重の小さい前記気体は、不活性気体であることを特徴とする請求項１または２に記載の密閉型スピーカユニット。
【請求項４】
前記気密空間の圧力は、大気圧に等しいことを特徴とする請求項１〜３のいずれか１つに記載の密閉型スピーカユニット。
【請求項５】
前記気密空間の圧力は、大気圧よりも大きいことを特徴とする請求項１〜３のいずれか１つに記載の密閉型スピーカユニット。
【発明の詳細な説明】
【技術分野】
【０００１】
本発明は、厚み寸法を小さくすることができる密閉型スピーカユニットに関する。
【背景技術】
【０００２】
たとえば携帯電話装置などに組込まれるスピーカユニットは、小型で厚みの小さいことが要求される。図５は、このような要求に応える従来のスピーカユニットＶの一例を示す断面図である。このスピーカユニットＶは、たとえば携帯電話装置のハウジング８に凹部として設けられる取付部９に組込まれてスピーカを構成する。
【０００３】
図示するスピーカユニットＶは、内部に空間を有する筐体１と、筐体１内に取付けられる振動板２と、振動板２の背面２ｂに連結したボイスコイル３と、ボイスコイル３の側方に配置される磁石５と、ボイスコイル３の内側へ挿入されて、振動板２の背面２ｂの中央領域と対向するように配置される円柱状のポールピース７と、磁石５とポールピース７とを接続するヨーク６とを備える。
【０００４】
スピーカユニットＶの音を出力する側を前面側、その反対側を背面側とする。ハウジング８の取付部９における前面側部分には、音を通過させるための透孔８ａが形成される。筐体１は、背面側において、ハウジング８との間に空間Ｒ２を形成するように、ハウジング８の取付部９に組み付けられる。筐体１の前面部には、ハウジング８に形成した透孔８ａに臨む開口１ａが形成される。筐体１の背面部には、振動板２の背面２ｂに臨む空間Ｒ１と筐体１の背面側の空間Ｒ２とを連通させる連通孔１ｂが形成される。振動板２は、筐体１の内面に周縁部が取付けられることにより、筐体１内で振動可能に配設される。ボイスコイル３は、筒状芯体３ａの表面に導線３ｂを巻きつけて成り、磁石５とポールピース７との間の間隙部に配置される。
【０００５】
磁石５とポールピース７との間の間隙部は、磁気ギャップＧと呼ばれる磁場を形成し、この磁気ギャップＧ内に配置されるボイスコイル３には、常時、磁力が作用する。したがって、ボイスコイル３に電流を流すと、ボイスコイル３に駆動力が発生し、この駆動力によって、ボイスコイル３と連結された振動板２が振動し、振動板２の前面２ａから音が出力される構造となっている。
【０００６】
このような構造を有する従来のスピーカユニットＶは、特許文献１〜３などに記載されている。特許文献１〜３のうち、特許文献１および２のスピーカユニットは、磁気ギャップを形成する磁石が、ボイスコイルの内側に配置されている点で、特許文献３とは異なっているが、特許文献１〜３のいずれも、振動板の背面に設けられたボイスコイルが磁気ギャップに配置され、ボイスコイルに電流を流すことで振動板を振動させて音を出力させる機構は共通である。
【先行技術文献】
【特許文献】
【０００７】
【特許文献１】特許第３６７５９５０号公報
【特許文献２】特許第２９６３９１７号公報
【特許文献３】特開２００１−３００４２２号公報
【発明の概要】
【発明が解決しようとする課題】
【０００８】
一般に、ハウジングなどにスピーカユニットを組付けて構成したスピーカにおいて、スピーカユニットの振動板が振動するとき、その前面と背面とからは互いに逆位相の音が出力される。振動板が前面から出力する音の音圧と、背面から出力する音の音圧とは比例関係にある。そして、振動板の背面から出力された音は、筐体の内面で反射して、振動板に影響を及ぼす。このような要因のため、スピーカの筐体の容積が小さいと、振動板の前面側の音圧が、背面から出力され筐体で反射される音の音圧によって減殺される結果、振動板の前面から出力される音の音圧が低下して、音響特性が悪くなるという問題がある。
【０００９】
そこで，図５に示すように、従来の小型のスピーカユニットＶにあっては、筐体１の内部空間における振動板２の背面２ｂが臨んでいる空間Ｒ１と、筐体１の背面側の空間Ｒ２とを連通孔１ｂを介して連通させる背面開放型の構成を採用して、筐体１の内部空間を擬似的に拡張する構造が採用されている。背面開放型とすることにより、振動板２が振動する際に、振動板２の背面から発生する逆位相の音の音圧を筐体１外部の空間Ｒ２へ逃がして、振動板２に対する影響を小さくし、振動板２の前面から出力する音の音圧が低下するのを防止している。
【００１０】
このように、従来の小型のスピーカユニットＶは、背面開放型として、筐体１の背面側へ音圧を逃がすための空間Ｒ２を確保する必要があるから、その分だけ、スピーカユニットＶの取付部９の容積を大きくしなくてはならない。したがって、たとえば携帯電話装置にあっては、スピーカユニットＶの取付部９の容積を大きくする必要があるので、携帯電話装置を小型化、薄型化する上での障害となっている。
【００１１】
本発明の目的は、音響特性を悪化させることなく、薄型化が可能な密閉型スピーカユニットを提供することである。
【課題を解決するための手段】
【００１２】
本発明は、内部に空間を有する筐体と、
該筐体の内部に取付けられて該筐体の内部空間を音の出力面側とその反対面側とに区画する、音出力用の振動板とを有し、
前記筐体の内部空間における前記振動板の反対面が臨む空間が気密空間に形成され、
前記気密空間に、空気よりも比重の小さい気体が封入されていることを特徴とする密閉型スピーカユニットである。
【００１３】
また本発明は、前面に開口を有する筐体と、
該開口を閉塞するように該筐体に取り付けられる、音出力用の振動板とを有し、
前記振動板が臨む前記筐体の内部空間が気密空間に形成され、
前記気密空間に、空気よりも比重の小さい気体が封入されていることを特徴とする密閉型スピーカユニットである。
【００１４】
また本発明は、空気よりも比重の小さい前記気体が、不活性気体であることを特徴とする。
【００１５】
また本発明は、前記気密空間の圧力が、大気圧に等しいことを特徴とする。
また本発明は、前記気密空間の圧力が、大気圧よりも大きいことを特徴とする。
【発明の効果】
【００１６】
本発明によれば、筐体の内部空間を音の出力面側と反対面側とに区画する振動板の反対面が臨む空間が気密空間に形成され、この気密空間に、空気よりも比重の小さい気体が封入される。すなわち、気密空間に封入される気体の慣性質量が、同体積の空気の慣性質量よりも小さくなる。そのため、振動板が振動する際に、振動板が反対面側へ変位するときの抵抗が小さくなるので、振動板を振動させるのに要するエネルギを少なくすることができるから、音響信号の入力に対する応答性の良好なスピーカユニットを提供できる。同時に、スピーカユニットの消費電力を低減化することができる。
【００１７】
また、振動板の反対面から出力される音が、筐体内部で反射して振動板に影響を及ぼすとしても、この音の影響は、空気より比重の小さい軽量な気体によるものであるから、振動板の音出力面から出力される音の音圧に対する減殺作用が小さくなり、よって、音響特性の悪化を防止することができる。したがって、スピーカユニットを密閉型にして、厚みの薄い製品を提供することができる。従来では、音響特性を改善するのに、筐体の外側に空間が必要であったのに対し、本発明によれば、筐体外部の空間を使用せずに音響特性の悪化を防止できるから、本発明に係るスピーカユニットが組込まれる製品の小型化および薄型化に寄与することができる。
【００１８】
さらに、振動板の反対面側に形成される気密空間は、水、湿気、埃などが浸入しにくい構造であるから、スピーカユニットの内部が保護され、長寿命化を図ることができる。
【００１９】
また本発明は、筐体の開口を閉塞するように取付けた振動板が臨む筐体の内部空間が気密空間に形成され、この気密空間に空気よりも比重の小さい気体が封入されているので、振動板を振動させるのに要するエネルギを小さくすることができ、音響信号の入力に対する応答性の良好なスピーカユニットを提供できると同時に、スピーカユニットの消費電力を低減化することができる。さらに、振動板の音出力面から出力される音の音圧に対し、振動板の反対面から出力される音の音圧が及ぼす減殺作用が小さくなり、音響特性の悪化が防止される。したがって、スピーカユニットの構造を密閉型として厚みを薄くできるから、筐体外部の空間が不要となり、本発明に係るスピーカユニットが組込まれる製品の小型化および薄型化に寄与することができる。さらにまた、筐体内部に形成される気密空間は、水、湿気、埃などが浸入しにくい構造であるから、スピーカユニットの内部が保護され、長寿命化を図ることができる。
【００２０】
また本発明によれば、気密空間に封入する気体を、不活性気体とするから、スピーカユニット内部に配設される各種電気部品などの酸化を防いで長寿命化を図ることができる。
【００２１】
また本発明によれば、気密空間の圧力を大気圧に等しくする場合、振動板に対し圧力差による負荷が作用せず、振動板の長寿命化を図れる。
【００２２】
また本発明によれば、気密空間の圧力を大気圧よりも大きくする場合、振動板に気密空間から膨張圧が作用し、振動板に適度な張力が付与されるから、音響特性を向上させることができる。
【図面の簡単な説明】
【００２３】
【図１】本発明の第１の実施形態に係る密閉型スピーカユニットＵ１の概略構成を示す断面図である。
【図２】密閉型スピーカユニットＵ１の気密空間Ｓ１に気体Ｌを封入する手段の一例を説明するものであり、図２（Ａ）は、気体Ｌを注入している状態の密閉型スピーカユニットＵ１の概略構成を示す断面図、図２（Ｂ）は、気体Ｌを充填した状態の密閉型スピーカユニットＵ１の概略構成を示す断面図である。
【図３】本発明の第２の実施形態に係る密閉型スピーカユニットＵ２の概略構成を示す断面図である。
【図４】本発明の第３の実施形態に係る密閉型スピーカユニットＵ３の概略構成を示す断面図である。
【図５】従来のスピーカユニットＶの概略構成を示す断面図である。
【発明を実施するための形態】
【００２４】
（第１の実施形態）
図１は、本発明の第１の実施形態に係る密閉型スピーカユニット（以下、単にスピーカユニットと言う）Ｕ１の概略構成を示す断面図、図２は、スピーカユニットＵ１の気密空間Ｓ１に気体Ｌを封入する手段の一例を説明するものであり、図２（Ａ）は、気体Ｌを注入している状態のスピーカユニットＵ１の概略構成を示す断面図、図２（Ｂ）は、気体Ｌを充填した状態のスピーカユニットＵ１の概略構成を示す断面図である。本実施形態のスピーカユニットＵ１は、たとえば、携帯電話装置などのハウジング４０に凹部として設けた取付部５０に組込まれる。本実施形態のスピーカユニットＵ１は、高さの低い中空円柱状の形状である。なお、スピーカユニットＵ１の外形寸法は、適用対象に応じ、適宜決定すればよい。
【００２５】
スピーカユニットＵ１の振動板２０における音を出力する面を前面２０ａ、その反対側の面を背面２０ｂとする。本実施形態のスピーカユニットＵ１は、内部に空間を有する筐体１０と、筐体１０内に周縁部２０ｃが気密に取付けられて、筐体１０の内部空間を、背面２０ｂ側の空間Ｓ１と前面２０ａ側の空間Ｓ２とに区画する振動板２０と、振動板２０の背面２０ｂに連結したボイスコイル３０と、ボイスコイル３０の側方に配置される磁石１１と、ボイスコイル３０の内側へ挿入されて、振動板２０の背面２０ｂの中央領域と対向するように配置される円柱状のポールピース１３と、磁石１１とポールピース１３とを接続するヨーク１２とを備える。
【００２６】
ハウジング４０の取付部５０における前面側部分には、音を通過させるための透孔４１が形成される。筐体１０は、合成樹脂などの非磁性材料で製作され、前面部に、ハウジング４０の透孔４１に臨む開口１０ａが形成される。また筐体１０は、背面１０ｂが取付部５０の内面と密接するように、ハウジング４０に組み込まれる。
【００２７】
振動板２０は、通気性を持たない材料から成るフィルム状またはシート状の部材であって、合成樹脂、金属、または、これらの複合材料などで製作される。振動板２０の周縁部２０ｃが、筐体１０の内面に、振動可能に且つ気密に取付けられる。
【００２８】
本実施形態の振動板２０は、前面の中央部とその周囲とが凹曲面である形態としたが、これに限定されるものではなく、たとえば、全体を平面状とする形態、一部を平面状とする形態、全体を凸曲面とする形態、凹曲面と凸曲面とを組合わせた形態とすることなどが考えられる。
【００２９】
振動板２０の背面２０ｂに連結されるボイスコイル３０は、中空の筒状芯体３１の表面に、導線３２を巻きつけて構成したものである。
【００３０】
ヨーク１２およびポールピース１３は、純鉄などの磁性材料で製作される。磁石は、フェライト磁石、アルニコ磁石、ネオジム磁石などが用いられる。本実施形態では、磁石１１およびポールピース１３を連結するヨーク１２が、筐体１０の背面１０ｂ側に組込まれている。
【００３１】
磁石１１とポールピース１３との間の間隙部は、磁気ギャップＧと呼ばれる磁場を形成する。この磁気ギャップＧ内に配置されるボイスコイル３０には、常時、磁力が作用するから、ボイスコイル３０に電流を流すと、ボイスコイル３０に駆動力が発生し、この駆動力によって、ボイスコイル３０と連結された振動板２０が振動し、振動板２０の前面２０ａから音が出力される。
【００３２】
本実施形態のスピーカユニットＵ１は、筐体１０の内部空間における、振動板２０の背面２０ｂが臨む空間Ｓ１を気密空間Ｓ１に形成し、この気密空間Ｓ１に、空気よりも比重の小さい気体Ｌが封入されているところを特徴とする。
【００３３】
筐体１０内の空間Ｓ１を気密空間Ｓ１とするため、本実施形態では、筐体１０と振動板２０の周縁部２０ｃとの接続部、および、筐体１０とヨーク１２との接合部に、気密化するために必要な処置を講じた。すなわち、筺体１０と振動板２０の周縁部２０ｃとの接続部、および、筺体１０とヨーク１２との接合部に、接着剤などを塗布または充填することによって、これらの部分の気密性を確保している。
【００３４】
気密空間Ｓ１に、空気よりも比重の小さい気体Ｌを封入する手段は、たとえば次のような方法が考えられる。図２（Ａ）に示すごとく、スピーカユニットＵ１の筺体１０における、なるべく音響特性に影響を与えないと思われる箇所に貫通孔１０ｃを形成し、この貫通孔１０ｃから気体Ｌを注入して、気密空間Ｓ１を気体Ｌで充填したのち、図２（Ｂ）に示すごとく、貫通孔１０ｃを接着剤などで気密に封止する。この場合、貫通孔１０ｃは、気密空間Ｓ１への気体Ｌの注入と、気密空間Ｓ１内の空気の排出とを同時に行うため、筐体１０の２箇所に設けるのが望ましい。また、貫通孔１０ｃを２箇所に設ける場合は、音響特性を考慮して、図２に示すように、２つの貫通孔１０ｃを、対向する位置に設けるのが好ましい。なお、貫通孔１０ｃを１つだけ設け、この貫通孔１０ｃから気密空間Ｓ１内へ細いパイプを挿入し、このパイプを通じて気体Ｌを注入し、気密空間Ｓ１を気体Ｌ１で充填することも可能である。
【００３５】
気密空間Ｓ１に封入される空気より比重の小さい気体Ｌとしては、水素ガス、ヘリウムガス、窒素ガス、および、これらの混合気体などが挙げられる。また、空気の一部を、ヘリウムガスなどの軽量気体で置換した混合気体も使用することができる。
【００３６】
前記のごとく構成された本実施形態のスピーカユニットＵ１は、振動板２０の背面２０ｂ側の空間Ｓ１を気密空間Ｓ１とし、この気密空間Ｓ１に空気よりも比重の小さい気体Ｌ、つまり、空気より慣性質量の小さい気体Ｌを封入したので、振動板２０が振動する際に、振動板２０が背面２０ｂ側へ変位するときの抵抗が小さくなる。これにより、振動板２０を振動させるのに要するエネルギを小さくすることができるから、音響信号の入力に対する応答性の良いスピーカユニットＵ１を提供できる。また、スピーカユニットＵ１の消費電力を低減化できる。
【００３７】
振動板２０の背面２０ｂから出力される音が、筐体１０内部で反射して振動板２０に影響を及ぼすことが考えられるが、この音の影響は、空気より比重の小さい軽量な気体Ｌによるものであるから、振動板２０の前面２０ａから出力される音の音圧に対する減殺作用が小さくなり、音響特性の悪化を防止することができる。従来では、音響特性を改善するのに筐体１０の外部に空間が必要であったのに対し、本実施形態のスピーカユニットＵ１によれば、筐体１０外部の空間を使用せずに、音響特性の悪化を防止できるから、スピーカユニットＵ１を密閉型にして、厚みの薄い製品を提供することができる。よって、スピーカユニットＵ１が組込まれる製品の小型化および薄型化に寄与することができる。
【００３８】
さらに、振動板２０の背面２０ｂ側に形成される気密空間Ｓ１は、水、湿気、埃などが浸入しにくい構造であるから、スピーカユニットＵ１の内部が保護され、長寿命化を図ることができる。
【００３９】
ところで、気密空間Ｓ１に封入する気体Ｌを、ヘリウムガスまたは窒素ガスなどの不活性気体とした場合は、スピーカユニットＵ１の内部に配設されるボイスコイル３０などの各種電気部品が酸化するのを防止して、これらの長寿命化を図ることができる。
【００４０】
なお、気密空間Ｓ１内の気体Ｌは、圧力を大気圧に等しくすることも、大気圧よりわずかに大きくすることもできる。大気圧に等しくした場合は、振動板２０に差圧による大きな負荷が作用せず、振動板２０の長寿命化を図れる。気密空間Ｓ１内の気体Ｌの圧力を大気圧よりも大きくした場合は、振動板２０に気密空間Ｓ１から膨張圧が作用し、振動板２０に適度な張力が付与されるから、音響特性を向上させることができる。
【００４１】
(第２の実施形態)
図３は、本発明の第２の実施形態に係るスピーカユニットＵ２の概略構成を示す断面図である。第１の実施形態と共通する部材には、同じ参照符号を付して、説明を省略する。
【００４２】
本実施形態のスピーカユニットＵ２は、前記第１の実施形態とは、筐体１０および振動板２１の構造が異なっている。本実施形態では、スピーカユニットＵ２の側面部および底面部の一部を構成している筐体１０の前面部に、開口１４ａを有する前面板１４を固定して一体化するともに、この開口１４ａを閉塞するように、振動板２１が振動可能に取付けられている。
【００４３】
本実施形態の振動板２１は、前面２１ａ側に凸となる湾曲面に形成され、周縁部がフランジ部２２によって、前面板１４の開口縁部１４ｂに、振動可能に接続されている。従って、振動板２１の前面２１ａは、前面板１４からわずかに突出する形態となっている。振動板２１の背面２１ｂ側には、筒状芯体３１と導線３２とから成るボイスコイル３０が連結されている。
【００４４】
振動板２１の背面２１ｂが臨む筐体１０の内部空間Ｓは、気密空間Ｓに形成される。このため、筐体１０と前面板１４との固定部、および、振動板２１とフランジ部２２と開口縁部１４ｂとの接続部は、いずれも気密性を保つように構成される。また、筐体１０とヨーク１２との接合部も、気密性を保つように構成される
【００４５】
気密空間Ｓには、空気よりも比重の小さい気体Ｌが封入される。これにより、本実施形態のスピーカユニットＵ２は、振動板２１が振動する際の抵抗が小さくなり、振動板２１を振動させるのに要するエネルギを小さくすることができるから、音響信号の入力に対し、応答性の良いスピーカユニットＵ２を提供できる。同時に、スピーカユニットＵ２の消費電力を低減化できる。
【００４６】
また、振動板２１の背面２１ｂから出力される音の影響は、空気より比重の小さい、すなわち慣性質量の小さい気体Ｌによるものであるから、振動板２１の前面２１ａから出力される音の音圧に対する減殺作用が小さくなり、音響特性の悪化を防止できる。したがって、スピーカユニットＵ２を密閉型にして、厚みの薄い製品を提供することができるから、スピーカユニットＵ２を組込む製品の小型化および薄型化に寄与することができる。本実施形態のスピーカユニットＵ２は、振動板２１を筐体１０の前面部に位置させたので、第１の実施形態のスピーカユニットＵ１よりも、さらに薄型化を図ることができる。
【００４７】
なお、振動板２１の背面２１ｂ側に形成される気密空間Ｓは、水、湿気、埃などが浸入しにくい保護された構造であるから、スピーカユニットＵ２の長寿命化を図ることができる。
【００４８】
気密空間Ｓに封入する気体Ｌを、ヘリウムガスまたは窒素ガスなどの不活性気体とした場合は、スピーカユニットＵ２の内部の各種電気部品が酸化するのを防止して、これらの長寿命化を図ることができる。
【００４９】
気密空間Ｓ内の気体Ｌの圧力を大気圧に等しくした場合は、振動板２１に差圧による大きな負荷が作用せず、振動板２１の長寿命化を図れる。気密空間Ｓ内の気体Ｌの圧力を大気圧よりも大きくした場合は、振動板２１に気密空間Ｓから膨張圧が作用し、振動板２１に適度な張力が付与されるから、音響特性を向上させることができる。
【００５０】
(第３の実施形態)
図４は、本発明の第３の実施形態に係るスピーカユニットＵ３の概略構成を示す断面図である。第１の実施形態と共通する部材には、同じ参照符号を付して、説明を省略する。
【００５１】
本実施形態のスピーカユニットＵ３は、筐体１０の内部空間の全体を気密化した点が、第１の実施形態と異なっている。すなわち、振動板２０によって区画された筐体１０内の背面２０ｂ側の空間Ｓ１を気密空間Ｓ１とするとともに、前面２０ａ側の空間Ｓ２も、気密空間Ｓ２としたものである。
【００５２】
本実施形態にあっては、背面２０ｂ側の気密空間Ｓ１に封入する気体Ｌ１、および、前面２０ａ側の気密空間Ｓ２に封入する気体Ｌ２を、いずれも空気より比重の小さい気体とし、両気密空間Ｓ１，Ｓ２の圧力を等しくする。
【００５３】
本実施形態のスピーカユニットＵ３は、ボイスコイル３０に電流を流し、ボイスコイル３０に発生させる駆動力で振動板２０を振動させることによって、振動板２０の前面２０ａから出力される音は、筐体１０およびハウジング４０を通過して、外部へ出力される。
【００５４】
本実施形態では、振動板２０の前面２０ａ側および背面２０ｂ側の両方に、空気より比重の小さい気体Ｌ１，Ｌ２を等圧で封入するから、振動板２０が振動する際に気体から受ける抵抗が減少する。よって、音響信号の入力に対する応答性が向上し、消費電力が低減化するとともに、音響特性も向上したスピーカユニットＵ３を提供することができる。
【００５５】
さらに、本実施形態のスピーカユニットＵ３は、筐体１０全体が気密構造となっているから、防水仕様のスピーカユニットＵ３を提供することが可能である。
【００５６】
(その他の実施形態)
本発明に係るスピーカユニットは、携帯電話装置、スマートフォン装置、タブレット型コンピュータ、ノート型コンピュータ、ＰＤＡ（Ｐersonal Digital Assistants）、携帯型音響機器、ヘッドフォン、イヤフォンなどに適用することができる。なお、携帯電話装置などの、受話用スピーカと着信音などの音響出力用スピーカとの２種類のスピーカを備える機器については、本発明を両方のスピーカに適用してもよく、あるいは、いずれか一方だけに本発明を適用してもよい。
【００５７】
また本発明の適用対象は、小型のスピーカユニットに限定されるものではなく、密閉型のスピーカユニットであれば適用することが可能である。
【符号の説明】
【００５８】
１０  筐体
１１  磁石
１２  ヨーク
１３  ポールピース
２０  振動板
２０ａ  振動板の前面
２０ｂ  振動板の背面
２０ｃ  振動板の周縁部
２１  振動板
２２  フランジ部
３０  ボイスコイル
４０  ハウジング
５０  取付部
Ｇ  磁気ギャップ
Ｌ  気体
Ｓ  気密空間
Ｓ１  気密空間
Ｕ１  スピーカユニット
Ｕ２  スピーカユニット
Ｕ３  スピーカユニット
【図１】
2014131139.tif 000003
【図２】
2014131139.tif 000004
【図３】
2014131139.tif 000005
【図４】
2014131139.tif 000006
【図５】
2014131139.tif 000007